(57)【要約】【課題】  測定表面内径を簡単に校正できるねじリングゲージを提供する。【解決手段】  本体の内環状面にはねじが設けられて測定表面内径として形成される。第一ブロックと第二ブロックの末端の端面から隙間が形成され、第一ブロックには少なくとも一個の第一孔が設けられ、第二ブロックには少なくとも一個の第二孔が設けられる。第一孔と第二孔は同じ軸心の線上において第一ブロックと第二ブロックの末端の端面を貫穿するように形成される。少なくとも一個の孔は外環状面を貫穿するように形成される。調整部材は第一孔と第二孔に穿設され、調整部材は隙間そのものの両末端を遠ざけさせたり近寄らせたりして調整し、固定させるように形成される。位置決め溝は本体の両末端の少なくとも一個の末端に設置され、そして外環状面に向けて延伸するように開口が形成される。ブロックゲージは位置決め溝の内に収容されるように構成されている。【選択図】  図１
2010256286.tif 000002
【特許請求の範囲】
【請求項１】
本体（１）、少なくとも一個の調整部材（２）、少なくとも一個の位置決め溝（３ａ）およびブロックゲージ（４ａ）を有するねじリングゲージにおいて、本体（１）には内環状面（１３）と外環状面（１４）が設けられ、内環状面（１３）には測定表面内径（Ｄ）を形成するようにねじ山が設けられ、内環状面（１３）と外環状面（１４）との間には隙間（１０）が形成されることによって第一ブロック（１１）と第二ブロック（１２）が形成され、そして第一ブロック（１１）と第二ブロック（１２）の末端の端面間に隙間（１０）が形成され、第一ブロック（１１）には少なくとも一個の第一孔（１５）が設けられ、第二ブロック（１２）には少なくとも一個の第二孔（１６）が設けられ、第一孔（１５）と第二孔（１６）は同じ軸心線上において第一ブロック（１１）と第二ブロック（１２）の末端の端面を貫穿するように形成され、さらに少なくとも一個の孔（１６）は外環状面（１４）を貫穿するように形成され、少なくとも一個の調整部材（２）が第一孔（１５）と第二孔（１６）に装着され、調整部材（２）は隙間（１０）そのものの両末端を遠ざけさせたり近寄らせたりすることにより調整して固定させるように形成され、少なくとも一個の位置決め溝（３ａ）は本体（１）の両末端の内の少なくとも一個の末端に設置され、そして外環状面（１４）に向けて延伸するように開口が形成され、ブロックゲージ（４ａ）は位置決め溝（３ａ）の内に収容されることを特徴とするねじリングゲージ。
【請求項２】
位置決め溝（３ａ）は二個で、二個の位置決め溝（３ａ）は互いに対応するように本体（１）の両末端に形成されることを特徴とする請求項１記載のねじリングゲージ。
【請求項３】
位置決め溝（３ａ）とブロックゲージ（４ａ）の横断面は同じ円柱形に形成されることを特徴とする請求項１または２記載のねじリングゲージ。
【請求項４】
位置決め溝（３ｂ、３ｃ）とブロックゲージ（４ｂ、４ｃ）の横断面は同じ偶数多辺形に形成され、そして上記偶数多辺形の複数組の対向辺の間の間隔は異なる間隔を有するように形成されることを特徴とする請求項１または２記載のねじリングゲージ。
【請求項５】
第一孔（１５）はねじ孔からなり、調整部材（２）には螺合可能な結合端（２１）が形成され、そして調整部材（２）の他端には調整部材（２）を回転するように駆動するための作動端（２２）が形成されることを特徴とする請求項１または２記載のねじリングゲージ。
【請求項６】
本体（１）には少なくとも一個の緩衝スリット（１７）が設けられ、緩衝スリット（１７）は本体（１）の内環状面（１３）から径方向へ延伸して本体（１）の外環状面（１４）まで及ばないように形成され、そして緩衝スリット（１７）は軸方向へ本体（１）を貫穿するように形成されることを特徴とする請求項１または２記載のねじリングゲージ。
【請求項７】
位置決め溝（３ｄ）の周壁とブロックゲージ（４ｄ）の外周面には円錐面が形成され、そして上記二個の円錐面にはそれぞれ互いに螺合するためのねじ部が設けられることを特徴とする請求項２記載のねじリングゲージ。
【発明の詳細な説明】
【技術分野】
【０００１】
本発明は、ねじリングゲージに関するもので、特に測定表面内径を縮小することができるねじリングゲージに係るものである。
【背景技術】
【０００２】
周知の如く、ねじリングゲージは、リングゲージ本体に設けられる内測定表面の測定ねじによってねじまたはボルトのねじ山が規格に符合しているか否かを検査するため、ねじリングゲージの精密度は極高い。このようなねじリングゲージの内測定表面の内径は固定寸法の方式と上記内測定表面の内径を縮小できる方式に分けられる。その中、固定寸法の方式のねじリングゲージでは、本体において予め必要とする寸法の内測定ねじを加工するもので、固定寸法の方式のねじリングゲージではその内測定ねじを変えることができず、上記内測定表面のねじ山と内径は長時間の使用により摩損してしまうため、ねじリングゲージの内径が大きくなって引き続き使用することができない。
【０００３】
一方、ねじリングゲージの内測定表面の内径を縮小できる方式としては、例えばアメリカ特許第１,４４７,４４８号「thread ring gauge with flush pin」があり、そこに開示されたねじリングゲージには調整可能な隙間本体とスリーブが含まれる。隙間本体には内測定表面が形成され、内測定表面は測定しようとする物品と接触するのに用いられる。スリーブは隙間本体の両末端の二個の孔の中に緊密に結合するように設置されることにより、上記孔が相対的に横方向へ移動するのを避けることができる。このねじリングゲージには他にスリーブと位置合せして配列するような装置が含まれ、この装置は部分的にスリーブに伸入することにより、隙間本体の両末端を遠ざけさせたり近寄らせたりすることができるようにとしたものがある（例えば、特許文献１を参照）。
【０００４】
上記の内測定表面の内径を縮小できる方式のねじリングゲージを使用する時、通常として先ず調整螺桿を調整することによってねじリングゲージ本体の内測定表面の内径を校正し、そしてねじリングゲージの内測定表面の内径が測定しようとする寸法に符合するまで調整し続けた後、再び上記隙間において蝋を注入し、それから固化された蝋によって調整螺桿を所定位置に確定させる。そして固化された蝋にひび割れが生じた時、そのことによりねじリングゲージ本体の内測定表面の内径が所定の寸法でなくなったのを判断することができるため、ねじリングゲージ本体の内測定表面の内径を再度校正して使用することになる。固化された蝋は極めて脆いため、衝撃によって脱落したり、温度が変化したりすることにより、固化された蝋にひび割れが生じ易く、ねじリングゲージ本体の内測定表面の内径を新たに校正しなければ、製造されたねじとボルトは規格に符合しないという虞が生じてしまう。
【先行技術文献】
【特許文献】
【０００５】
【特許文献１】アメリカ特許第１,４４７,４４８号明細書
【発明の概要】
【発明が解決しようとする課題】
【０００６】
上述した従来の固定寸法の方式のねじリングゲージにおいては、その寿命が限られ、そして相対的にねじリングゲージのコストも比較的高いという問題点を有する。そして、上記の内測定表面の内径を縮小できる方式のねじリングゲージにおいては、ねじリングゲージ本体の内測定表面の内径が校正の寸法に符合している否かを判断するために用いられる固化した蝋が極めて脆いため、固化した蝋にひび割れが生じた時、再びねじリングゲージ本体の内測定表面の内径を校正して確認しなければならない。また、ねじリングゲージ本体の内測定表面の内径を校正するための公差は極めて微小、通常としては約８μであるため、その調整が難しいという問題点を有する。このように、従来のねじリングゲージをさらに改良しなければならない問題点を含むものであった。
【０００７】
本発明はこのような問題点に鑑みて発明したものであって、その第一の目的とするところは、ねじリングゲージの測定表面内径を簡単に校正することができるねじリングゲージを提供しようとするものである。
【０００８】
本発明の第二の目的とするところは、ねじリングゲージの測定表面内径を一つの校正の寸法に固定することができるねじリングゲージを提供しようとするものである。
【０００９】
本発明の第三の目的とするところは、ねじリングゲージの測定表面内径を繰り返して校正することにより、ねじリングゲージのコストを低く抑えることができるねじリングゲージを提供しようとするものである。
【００１０】
本発明の第四の目的とするところは、ねじリングゲージの両端に軸方向への偏移が生じるのを避けることができるねじリングゲージを提供しようとするものである。
【課題を解決するための手段】
【００１１】
上記目的を達成するために、本発明によるねじリングゲージは、下記のようになるものである。すなわち、
本体、少なくとも一個の調整部材、少なくとも一個の位置決め溝およびブロックゲージを有する。本体には内環状面と外環状面が設けられ、内環状面にはねじ山が設けられて測定表面内径として形成され、内環状面と外環状面との間には隙間が形成されることによって第一ブロックと第二ブロックが形成され、そして第一ブロックと第二ブロックの末端の端面から隙間が形成される。第一ブロックには少なくとも一個の第一孔が設けられ、第二ブロックには少なくとも一個の第二孔が設けられる。第一孔と第二孔は同じ軸心の線上において第一ブロックと第二ブロックの末端の端面を貫穿するように形成され、さらに少なくとも一個の孔は外環状面を貫穿するように形成される。少なくとも一個の調整部材は第一孔と第二孔に穿設され、調整部材は隙間そのものの両末端を遠ざけさせたり近寄らせたりして調整し、そして固定させるように形成される。少なくとも一個の位置決め溝は本体の両末端の内の少なくとも一個の末端に設置され、そして外環状面に向けて延伸するように開口が形成される。ブロックゲージは位置決め溝の内に収容される。
【００１２】
また、本発明によるねじリングゲージは、位置決め溝は二個で、二個の位置決め溝は互いに対応するように本体の両末端に形成することもできる。また、位置決め溝とブロックゲージの横断面は同じ円柱形に形成することもできる。また、位置決め溝とブロックゲージの横断面は同じ偶数多辺形に形成し、そして偶数多辺形の複数組の対向辺の間の間隔は異なる間隔を有するように形成することもできる。また、第一孔はねじ孔からなり、調整部材に螺合可能な結合端を形成し、そして調整部材の他端に調整部材を回転するように駆動するための作動端を形成することもできる。また、本体には少なくとも一個の緩衝スリットが設けられ、緩衝スリットは本体の内環状面から径方向へ延伸して本体の外環状面まで及ばないように形成し、そして緩衝スリットは軸方向へ本体を貫穿するように形成することもできる。また、位置決め溝の周壁とブロックゲージの外周面に円錐面を形成し、そして上記二個の円錐面にはそれぞれ互いに螺合するためのねじ部を設けることもできる。
【発明の効果】
【００１３】
本発明のねじリングゲージによれば、ねじリングゲージの測定表面内径を簡単に校正することができるという利点がある。
【００１４】
本発明のねじリングゲージによれば、ねじリングゲージの測定表面内径を一つの校正の寸法に固定することができるという利点がある。
【００１５】
本発明のねじリングゲージによれば、ねじリングゲージの測定表面内径を繰り返して校正することにより、ねじリングゲージのコストを低く抑えることができるという利点がある。
【００１６】
本発明のねじリングゲージによれば、ねじリングゲージの両端に軸方向への偏移が生じるのを避けることができるという利点がある。
【図面の簡単な説明】
【００１７】
【図１】本発明の実施例１のねじリングゲージによる斜視図である。
【図２】本発明の実施例１のねじリングゲージによる側面図である。
【図３】本発明の実施例１のねじリングゲージによる断面図である。
【図４】本発明の実施例１のねじリングゲージによる使用状態の説明図である。
【図５】本発明の実施例１のねじリングゲージによる使用して摩損した状態の説明図である。
【図６】本発明の実施例１のねじリングゲージによる使用して摩損してからブロックゲージを交換した後の説明図である。
【図７】本発明の実施例２の位置決め溝を設けたねじリングゲージによる斜視図である。
【図８】本発明の実施例３のねじリングゲージによる斜視図である。
【図９】本発明の実施例３のねじリングゲージのブロックゲージによる横断面図である。
【図１０】本発明の実施例４のねじリングゲージによる斜視図である。
【図１１】本発明の実施例４のねじリングゲージのブロックゲージによる横断面図である。
【図１２】本発明の実施例５のねじリングゲージによる斜視図である。
【発明を実施するための形態】
【００１８】
本発明の実施の形態について、以下、図面を参照して説明する。
【実施例１】
【００１９】
図１は本発明の実施例１によるねじリングゲージの斜視図、図２は本発明の実施例１のねじリングゲージによる側面図、図３は本発明の実施例１によるねじリングゲージの断面図である。図１、２、３を参照すると、本発明の実施例１のねじリングゲージには本体１、調整部材２、少なくとも一個の位置決め溝３ａおよびブロックゲージ４ａが含まれる。
【００２０】
本体１には隙間１０、第一ブロック１１、第二ブロック１２、内環状面１３、外環状面１４、第一孔１５と一第二孔１６が設けられる。本体１には隙間１０から第一ブロック１１と第二ブロック１２が形成され、隙間１０は第一ブロック１１と第二ブロック１２との末端の端面の間において隙間Ｐが形成される。内環状面１３には測定表面内径Ｄが形成され、内環状面１３には測定しようとする物品が接触して検査するためのねじ山が設置される。外環状面１４は本体１の外周面に位置するように形成される。第一孔１５は第一ブロック１１の端面に設けられ、第二孔１６は第二ブロック１２の端面に設けられ、そして二個の孔１５、１６は同じ軸心の線上において対応するように形成される。本実施例において第一孔１５は好ましくは選択的にねじ山を有する非貫通孔からなり、そして当然として選択的に通孔からなることもできる。第二孔１６は本体１の第二ブロック１２に設けられ、そして第二孔１６は第二ブロック１２の端面と外環状面１４を貫穿して連通するように形成される。
【００２１】
本実施例において、本体１には好ましくは他に少なくとも一個の緩衝スリット１７が設けられ、緩衝スリット１７は本体１の内環状面１３から径方向へ延伸して本体１の外環状面１４まで及ばないように形成され、そして緩衝スリット１７は軸方向へ本体１を貫穿するように形成される。例えば、本実施例において本体１には好ましくは選択的に二個の緩衝スリット１７が設けられ、そして当然として選択的にその他の数の緩衝スリット１７を設けることができる。このように、本体１に対して径方向へ収縮する力を加えると、本体１の測定表面内径Ｄが径方向へ収縮された時、さらに均一の円形が形成される。
【００２２】
再び図１、２、３を参照すると、本発明の調整部材２は第二孔１６を貫穿し、そして第一孔１５に結合される。例えば、本実施例の調整部材２には結合端２１と作動端２２が含まれる。結合端２１の外周面には第一孔１５と対応して螺合するためのねじ山が設けられることにより、調整部材２は結合端２１によって第二孔１６を貫穿し、そして作動端２２によって工具を利用して回転したりまたは駆動したりすることにより、調整部材２の結合端２１を第一孔１５に螺合することができるため、本体１に設けられる隙間１０の両末端を遠ざけさせたり近寄らせたりすることができる。
【００２３】
再び図１、２、３を参照すると、本発明の実施例１においては選択的に二個の位置決め溝３ａが設けられ、二個の位置決め溝３ａはそれぞれ本体１において第一ブロック１１と第二ブロック１２を形成する二個の端面に凹設され、そして二個の位置決め溝３ａはそれぞれ本体１の外環状面１４に向けて延伸するように開口が形成され、二個の位置決め溝３ａは共同で一個の収容溝を形成するもので、収容溝の形状は各種の幾何の形状からなることができる。例えば、本実施例においては好ましくは選択的に二個の円弧形の位置決め溝３ａを設けることにより、二個の位置決め溝３ａは共同で一個の円柱形の収容溝を形成する。
【００２４】
図４は本発明の実施例１のねじリングゲージによる使用状態の説明図である。図４を参照すると、本発明の実施例１のブロックゲージ４ａは二個の位置決め溝３ａの内に収容され、ブロックゲージ４ａは所定の径方向の寸法を有するように形成される。本実施例において、ブロックゲージ４ａは選択的に二個の位置決め溝３ａが共同で形成する収容溝に対応するような円柱形に形成され、そしてブロックゲージ４ａは所定の直径Ａ１を有するように形成され、さらにブロックゲージ４ａの所定の直径を各種の異なる寸法に設けることができ、例えば等間隔で少しずつ減らすようなＡ２、Ａ３…等の設計を行うことができる。
【００２５】
再び図２、４を参照すると、本発明の実施例１のねじリングゲージを使用する時、所定の直径Ａ１を有するブロックゲージ４ａを二個の位置決め溝３ａが共同で形成する収容溝の内に置き入れ、そして調整部材２の結合端２１を第二孔１６に貫穿し、さらに作動端２２を駆動することによって結合端２１を第一孔１５に螺合することにより、隙間Ｐはだんだんと縮小し、直径Ａ１を有するブロックゲージ４ａが二個の位置決め溝３ａの間に堅固に挟持されるまで縮小し続け、そして調整部材２が回転することができなくなると、ねじリングゲージの内環状面１３において測定表面内径Ｄが形成される。
【００２６】
図５は本発明の実施例１のねじリングゲージが使用によって摩損した状態における説明図である。図５を参照すると、所定の直径Ｄを有するねじリングゲージが長時間に使用された後、本体１の内環状面１３は摩損によって測定表面内径Ｄ１が大きくなって所定の規格に符合していない時、調整部材２を調整するだけで、本体１の隙間１０を大きくし、直径Ａ１を有するブロックゲージ４ａを取り出し、そして比較的小さい直径Ａ２を有するブロックゲージ４ａを新たに二個の位置決め溝３ａの間に置き入れ、さらに再び調整部材２の固定によって、比較的小さい直径Ａ２を有するブロックゲージ４ａは堅固に挟持される（図６を参照する）。このように、本体１の内環状面１３を元々の設定された測定表面内径Ｄに戻すことができる。
【００２７】
このように、逐次に少しずつ減らされる直径（Ａ１、Ａ２、Ａ３…）を有するブロックゲージ４ａを取り替えることにより、そして調整部材２をブロックゲージ４ａが堅固に挟持されるまで調整することにより、本体１の内環状面１３を設定される測定表面内径Ｄに確定することができるため、本発明のねじリングゲージによれば使用上および操作上の便利性を有効に高めることができる。本発明において、ねじリングゲージ、ブロックゲージ４ａの取り換え可能な回数は好ましくは３回から４回まで設定した方が好ましい。また、二個の位置決め溝３ａが共同で形成する収容溝の形状はブロックゲージ４ａの形状に対応することができるため、ブロックゲージ４ａが二個の位置決め溝３ａに挟持された後、本体１の第一ブロック１１と第二ブロック１２に軸方向への偏移が生じるのを防止することができる。
【実施例２】
【００２８】
図７は本発明の実施例２による、位置決め溝を設けたねじリングゲージの斜視図である。図７を参照すると、本発明の実施例２のねじリングゲージが掲示される。本発明の実施例２において、ねじリングゲージには選択的に一個の位置決め溝３ａが設けられる場合、本体１の内環状面１３は摩損によって測定表面内径Ｄ１が大きくなって所定の規格に符合していない時、位置決め溝３ａに相変わらず少しずつ減らされる直径（Ａ１、Ａ２、Ａ３…）を有するブロックゲージ４ａを逐次に置き入れることができるため、そして調整部材２をブロックゲージ４ａが堅固に挟持されるまで調整することにより、同様に本体１の内環状面１３を設定される測定表面内径Ｄに確定することができる。また、本実施例において本体１の第一ブロック１１には二個の第一孔１５が設けられ、さらに第二ブロック１２にも二個の第二孔１６が設けられ、そして二個の第一孔１５と二個の第二孔１６は同じ軸心の線上において対応するように形成されるため、二個の調整部材２がそれぞれ二個の第二孔１６を貫穿して二個の第一孔１５に結合される時、ブロックゲージ４ａは位置決め溝３ａに挟持し固定されるとともに、本体１の第一ブロック１１と第二ブロック１２に軸方向への偏移が生じるのを防止することができる。
【実施例３】
【００２９】
図８は本発明の実施例３によるねじリングゲージの斜視図である。図８を参照すると、本発明の実施例３のねじリングゲージが掲示される。本実施例３において、ねじリングゲージの部材は実施例１とは略同じであるため、ここでは説明を省略する。実施例３において、位置決め溝３ｂとブロックゲージ４ｂの横断面の形状は選択的に矩形の形状からなる。
【００３０】
図９は本発明の実施例３によるねじリングゲージのブロックゲージの横断面図である。図９を参照すると、ブロックゲージ４ｂの横断面（矩形断面）には二組の平行な対向辺が含まれ、その内の一組の平行な対向辺の間の間隔は第一間距Ｂ１で、第一間隔Ｂ１はもう一方の平行な対向辺の間の第二間距Ｂ２とは異なる。例えば、第一間距Ｂ１の寸法は第二間距Ｂ２より大きくなるように形成され、さらに図８に示すように、位置決め溝３ｂの二組の平行な対向辺の間は同じように比較的大きい方の第一間距Ｂ１からなる。このように、先ず比較的大きい方の第一間距Ｂ１の二個の平行な対向辺がそれぞれ第一ブロック１１と第二ブロック１２の二個の端面によって堅固に挟持されることにより、本体１の内環状面１３には所定の規格の測定表面内径Ｄが形成される。本体１の内環状面１３が摩損によって測定表面内径Ｄ１が大きくなって所定の規格に符合していない時、本実施例においてはブロックゲージ４ｂを水平に９０°回転させ、第二間隔Ｂ２の二個の平行な対向辺をそれぞれ第一ブロック１１と第二ブロック１２の二個の端面に堅固に挟持させることにより、同様に本体１の内環状面１３には設定される測定表面内径Ｄが確定される。
【実施例４】
【００３１】
図１０は本発明の実施例４のねじリングゲージによる斜視図である。図１０を参照すると、本発明の実施例４のねじリングゲージが掲示される。本実施例において、ねじリングゲージの部材は実施例１とは略同じであるため、ここでは説明を省略する。実施例４において、位置決め溝３ｃとブロックゲージ４ｃの横断面の形状は選択的に偶数辺の六角形の形状からなる。
【００３２】
図１１は本発明の実施例４によるねじリングゲージのブロックゲージの横断面図である。図１１を参照すると、ブロックゲージ４ｃの横断面（矩形断面）には三組の平行な対向辺が含まれ、三組の平行な対向辺の間にはそれぞれ等間隔で少しずつ減らしていくような第一間距Ｃ１、第二間距Ｃ２と第三間距Ｃ３が形成される。例えば、第一間距Ｃ１の寸法は第二間距Ｃ２より大きく、そして第二間距Ｃ２の寸法は第三間距Ｃ３より大きくなるように形成される。その他に、図１１に示すように、位置決め溝３ｃの三組の平行な対向辺の間は同じように比較的大きい方の第一間距Ｃ１からなる。このように、先ず比較的大きい方の第一間距Ｃ１の二個の平行な対向辺がそれぞれ第一ブロック１１と第二ブロック１２の二個の端面によって堅固に挟持されることにより、本体１の内環状面１３には所定の規格の測定表面内径Ｄが形成される。本体１の内環状面１３が摩損によって測定表面内径Ｄ１が大きくなって所定の規格に符合しなくなった時、本実施例においてはブロックゲージ４ｃを水平に所定の角度を回転させ、第二間隔Ｃ２の二個の平行な対向辺をそれぞれ第一ブロック１１と第二ブロック１２の二個の端面に堅固に挟持させることにより、同様に本体１の内環状面１３には設定される測定表面内径Ｄが確定される。さらに、第三間隔Ｃ３の二個の平行な対向辺をそれぞれ第一ブロック１１と第二ブロック１２の二個の端面に堅固に挟持させることにより、同様に本体１の内環状面１３には設定される測定表面内径Ｄが確定される。
【実施例５】
【００３３】
図１２は本発明の実施例５によるねじリングゲージの斜視図である。図１２を参照すると、本発明の実施例５のねじリングゲージが掲示される。この実施例５において、ねじリングゲージの部材は実施例１とは略同じであるため、ここでは説明を省略する。実施例５において、位置決め溝３ｄの周壁とブロックゲージ４ｄの外周面には円錐面が形成され、そして位置決め溝３ｄとブロックゲージ４ｄの円錐面は互いに接触することができ、さらに二個の接触する円錐面にはそれぞれ互いに協働して螺合するためのねじ部が設けられる。それにより、ブロックゲージ４ｄを利用して位置決め溝３ｄに対して回転することにより、さらに調整部材２を利用してブロックゲージ４ｄが堅固に挟持されるまで調整することにより、本体１の内環状面１３を本来の測定表面内径Ｄに戻すことができる。
【産業上の利用可能性】
【００３４】
上述の如く、本発明のねじリングゲージによれば、ブロックゲージ４ａ、４ｂ、４ｃと４ｄを位置決め溝３ａ、３ｂ、３ｃと３ｄの内に挟持させることにより、摩損によって測定表面内径Ｄ１が大きくなって所定の規格Ｄに符合していない時、迅速かつ便利に本体１の内環状面１３を設定される測定表面内径Ｄに調整することができる。また、ブロックゲージ４ａ、４ｂ、４ｃと４ｄは位置決め溝３ａ、３ｂ、３ｃと３ｄが共同で形成する収容溝の形状に対応するように形成される時、本発明のねじリングゲージによれば、本体１の第一ブロック１１と第二ブロック１２が軸方向への偏移が生じるのを避けることができる。その他に、ブロックゲージ４ｂ、４ｃの多辺形の横断面に複数組の平行な対向辺が含まれる時、複数組の対向辺の間には複数組の等間隔で少しずつ減らす間隔が設計されることにより、或いは位置決め溝３ｄの周壁とブロックゲージ４ｄの外周面が円錐面に形成されてねじ部を利用して互いに螺合し、ブロックゲージ４ｄが位置決め溝３ｄに対して回転することにより、一個のブロックゲージで数回にわたって回転して使用することができるため、使用上の便利性を有効に増やすことができる。
【００３５】
上述した異なる実施例において、本発明のブロックゲージと位置決め溝の横断面の形状は最良として円形に形成される。このように、ブロックゲージと位置決め溝の加工は比較的簡単になる。その他に、仮に位置決め溝は対称になるように本体の第一ブロックと第二ブロックの末端の端面に設けられる時、位置決め溝に設置されるブロックゲージによれば、本体の第一ブロックと第二ブロックに軸方向への偏移が生じるのを防止することができる。
【００３６】
本発明については、上述した異なる実施例をもって説明したが、位置決め溝について一個または二個を設けても、さらに本体の第一ブロックと第二ブロックにおいてそれぞれ二個の第一孔と第二孔を設け、それから二個の調整部材を利用してそれぞれ二個の第一孔と第二孔に穿設され、本体の第一ブロックと第二ブロックに軸方向への偏移が生じるのを防止できることは、その技術分野の中で従来の技術を熟知したものが容易に完成できるものである。
【００３７】
本発明は、その精神とび必須の特徴事項から逸脱することなく他のやり方で実施することができる。従って、本明細書に記載した好ましい実施例は例示的なものであり、限定的なものではない。
【符号の説明】
【００３８】
１    本体
１０    隙間
１１    第一ブロック
１２    第二ブロック
１３    内環状面
１４    外環状面
１５    第一孔
１６    第二孔
１７    緩衝スリット
１８    欠け口
２    調整部材
２１    結合端
２２    作動端
３ａ、３ｂ、３ｃ、３ｄ    位置決め溝
４ａ、４ｂ、４ｃ、４ｄ    ブロックゲージ
Ｐ    隙間
Ｄ    測定表面内径
Ｄ１    大きくなった測定表面内径
Ａ１、Ａ２、Ａ３    直径
Ｂ１    第一間隔
Ｂ２    第二間隔
Ｃ１    第一間隔
Ｃ２    第二間隔
Ｃ３    第三間隔
【図１】
2010256286.tif 000003
【図２】
2010256286.tif 000004
【図３】
2010256286.tif 000005
【図４】
2010256286.tif 000006
【図５】
2010256286.tif 000007
【図６】
2010256286.tif 000008
【図７】
2010256286.tif 000009
【図８】
2010256286.tif 000010
【図９】
2010256286.tif 000011
【図１０】
2010256286.tif 000012
【図１１】
2010256286.tif 000013
【図１２】
2010256286.tif 000014